(57)【特許請求の範囲】
【請求項１】
シアンインク組成物、マゼンタインク組成物、およびイエローインク組成物を含んでなるインクジェット記録用インクセットであって、
前記シアンインク組成物が、着色剤として、Ｃ．Ｉ．ピグメントブルー１５：３、およびＣ．Ｉ．ピグメントブルー１５：４からなる群より選択される少なくとも一種の顔料を含んでなり、
前記マゼンタインク組成物が、着色剤として、Ｃ．Ｉ．ピグメントレッド１２２、Ｃ．Ｉ．ピグメントレッド２０２、Ｃ．Ｉ．ピグメントレッド２０９、およびＣ．Ｉ．ピグメントヴァイオレット１９からなる群より選択される少なくとも一種の顔料を含んでなり、
前記イエローインク組成物が、Ｃ．Ｉ．ピグメントイエロー２１３を含んでなる、インクセット。
【請求項２】
シアンインク組成物およびマゼンタインク組成物中の前記シアン顔料および前記マゼンタ顔料のそれぞれの濃度が、イエローインク組成物中の前記イエロー顔料の濃度よりも小さいものである、請求項１に記載のインクセット。
【請求項３】
マゼンタインク組成物中の前記マゼンタ顔料の濃度が、シアンインク組成物中の前記シアン顔料の濃度よりも大きく、かつイエローインク組成物中の前記イエロー顔料の濃度が、マゼンタインク組成物中の前記マゼンタ顔料の濃度よりも大きいものである、請求項１または２に記載のインクセット。
【請求項４】
前記シアンインク組成物、前記マゼンタインク組成物、および前記イエローインク組成物からなる群から選択される一種以上のインク組成物が、樹脂エマルジョンをさらに含んでなる、請求項１〜３のいずれか一項に記載のインクセット。
【請求項５】
前記全てのインク組成物中の顔料濃度が６重量％以下であり、かつシアンインク組成物中の顔料の濃度（重量％）と、マゼンタインク組成物中の顔料の濃度（重量％）と、そしてイエローインク組成物中の顔料の濃度（重量％）との比が、２．０〜５．０：２．５〜５．５：３．５〜６．０である、請求項１〜４のいずれか一項に記載のインクセット。
【請求項６】
インク組成物の液滴を吐出し、該液滴を記録媒体に付着させて記録を行うインクジェット記録方法であって、請求項１〜５のいずれか一項に記載のインクセットに含まれる前記シアンインク組成物、前記マゼンタインク組成物、及び前記イエローインク組成物を少なくとも用いて記録を行う、インクジェット記録方法。
【請求項７】
請求項６に記載の方法によって記録された、記録物。
【発明の詳細な説明】
【発明の背景】
【０００１】
発明の分野
本発明はインクジェット記録方法に用いられる、シアンインク組成物、イエローインク組成物、およびマゼンタインク組成物を含んでなるインクセット、ならびに記録媒体に反応液とインク組成物とを付着させて印字を行うインクジェット記録方法に関する。
【０００２】
背景技術
インクジェット記録方法は、インク組成物の小滴を飛翔させ、紙等の記録媒体に付着させて印刷を行う印刷方法である。この方法は、比較的安価な装置で高解像度、高品位な画像を高速で印刷可能であるという特徴を有する。
【０００３】
インクジェット記録に使用されるインク組成物は、水を主成分とし、これに着色成分および目詰まり防止等の目的でグリセリン等の湿潤剤を含有したものが一般的である。インクジェット記録用インク組成物に用いられる着色剤としては、色剤の彩度の高さ、利用できる色剤の種類の豊富さ、水への溶解性などの理由から水溶性染料が数多く使用されている。
【０００４】
しかし、一方で染料は耐光性および耐水性等の諸特性に劣ることがあり、染料インク組成物により印字された印刷物は、耐光性および耐水性に劣ることになる。耐水性については、インク吸収層を有するインクジェット専用記録紙によって改善されているが、普通紙については未だ十分とは言い難い。
【０００５】
顔料は、染料に比べて耐光性および耐水性に優れており、近年、耐光性および耐水性を改善する目的でインクジェット記録用インク組成物の着色剤として利用が検討されている。ここで、顔料は一般に水には不溶であるため、顔料を水系インク組成物に利用する場合には、顔料を分散剤と呼ばれる樹脂などと共に混合し、水に安定分散させた後にインク組成物として調製する必要がある。
【０００６】
さらに、インクジェット記録用インクの着色剤として顔料の利用を考えた場合、顔料は染料に比べ耐光性および耐水性に優れている反面、利用できる色剤の種類が染料に比べ少ない。実際にインクジェット記録用インクとして利用する場合には、耐光性および耐水性以外に色相についても十分検討する必要がある。例えば、特開２０００−３４５０８０号公報（特許文献１）には、耐光性に優れる特定の顔料および発色性に優れる二種の特定顔料を組み合わせたイエローインク組成物が提案されている。また、特開平１０−１２０９５６号公報（特許文献２）では、特定の顔料を含むシアン、マゼンタ、イエローインク組成物を組合せたインクセットとすることにより、耐光性および耐水性に加え、良好な画像、とりわけ良好な色相の画像を実現できることが提案されている。
【特許文献１】特開２０００−３４５０８０号公報
【特許文献２】特開平１０−１２０９５６号公報
【発明の概要】
【０００７】
本発明者等は、今般、カラーインクジェット記録方法において、特定の顔料を含むイエローインク組成物、マゼンタインク組成物、およびシアンインク組成物を組み合わせたインクセットとすることにより、イエローインク顔料として複数の顔料を用いなくとも、耐光性および耐水性に加え、良好な画像、とりわけ良好な色相の画像を実現できるとの知見を得た。本発明はこれら知見に基づくものである。
【０００８】
従って、本発明は、耐光性および耐水性に加え、良好な画像、とりわけ良好な色相の画像を実現できるインクジェット記録用インクセットの提供をその目的としている。
【０００９】
そして本発明によるインクジェット記録用インクセットは、シアンインク組成物、マゼンタインク組成物、およびイエローインク組成物を含んでなるインクジェット記録用インクセットであって、
前記シアンインク組成物が、着色剤として、Ｃ．Ｉ．ピグメントブルー１５：３、およびＣ．Ｉ．ピグメントブルー１５：４からなる群より選択される少なくとも一種の顔料を含んでなり、
前記マゼンタインク組成物が、着色剤として、Ｃ．Ｉ．ピグメントレッド１２２、Ｃ．Ｉ．ピグメントレッド２０２、Ｃ．Ｉ．ピグメントレッド２０９、およびＣ．Ｉ．ピグメントヴァイオレット１９からなる群より選択される少なくとも一種の顔料を含んでなり、
前記イエローインク組成物が、Ｃ．Ｉ．ピグメントイエロー２１３を含んでなるものである。
【００１０】
また、本発明によるインクジェット記録方法は、インク組成物の液滴を吐出し、該液滴を記録媒体に付着させて印字を行うインクジェット記録方法であって、上記のインクセットに含まれる少なくとも一種のインク組成物を用いるものである。
【００１１】
本発明によれば、耐光性および耐水性に加え、良好な画像、とりわけ良好な色相の画像を実現できる。
【発明の具体的説明】
【００１２】
本発明によるインクセットは、シアンインク組成物、マゼンタインク組成物、およびイエローインク組成物を含み、それら各インク組成物に着色剤として特定の顔料が含まれているものである。以下、本発明によるインクセットを構成する各インク組成物について説明する。
【００１３】
イエローインク組成物
本発明によるインクセットに用いられるイエローインク組成物は、着色剤としてＣ．Ｉ．ピグメントイエロー２１３を含む。このイエロー顔料を含むイエローインク組成物を、後記するマゼンタインク組成物およびシアンインク組成物と組み合わせて用いることにより、耐光性および耐水性に加え、良好な画像、とりわけ良好な色相の画像を実現できる。特に、複数のイエロー顔料、例えば、耐光性に優れるイエロー顔料（例えば、Ｃ．Ｉ．ピグメントイエロー１２８やＣ．Ｉ．ピグメントイエロー１１０）と、発色性に優れるイエロー顔料（例えば、Ｃ．Ｉ．ピグメントイエロー７４）との組み合わせを用いなくとも、イエロー顔料としてＣ．Ｉ．ピグメントイエロー２１３のみを含むイエローインク組成物を用いれば、耐光性および耐水性に加えて、とりわけ良好な色相の画像が得られることは意外であり、本発明の利点である。また、本発明においては、複数の顔料を含むイエローインク組成物を用いずにすむため、インク組成物を調整や、インクジェット記録を簡便に行うことができる、という利点も有する。
【００１４】
本発明において用いられるイエローインク組成物は、上記顔料とともに、少なくとも水を含んでなる。顔料のシアンインク組成物への添加量は耐光性および耐水性に加え、良好な色相を有する画像を実現できる範囲で適宜決定されてよいが、例えば６重量％以下が好ましい。
【００１５】
上記顔料は、分散剤または界面活性剤で水性媒体中に分散させて得られた顔料分散液としてインク組成物に添加されるのが好ましい。好ましい分散剤としては、顔料分散液を調製するのに慣用されている分散剤、例えば高分子分散剤を使用することができる。
【００１６】
本発明の好ましい態様によれば、シアンインク組成物は有機溶媒を含んでなるのが好ましい。この有機溶媒は、好ましくは低沸点有機溶剤であり、その好ましい例としては、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノールなどがあげられる。特に一価アルコールが好ましい。低沸点有機溶剤は、インク組成物の乾燥時間を短くする効果がある。
【００１７】
また、本発明の好ましい態様によれば、本発明に使用するインク組成物は、さらに高沸点有機溶媒を含んでなることが好ましい。高沸点有機溶媒剤の好ましい例としては、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパンなどの多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテルなどの多価アルコールのアルキルエーテル類、尿素、２−ピロリドン、Ｎ−メチル−２−ピロリドン、１，３−ジメチル−２−イミダゾリジノン、トリエタノールアミンなどがあげられる。
【００１８】
低沸点有機溶剤の添加量はインク組成物の０．５〜１０重量％が好ましく、より好ましくは１．５〜６重量％の範囲である。また、高沸点有機溶媒の添加量は、インク組成物の０．５〜４０重量％が好ましく、より好ましくは２〜２０重量％の範囲である。
【００１９】
本発明の好ましい態様によれば、本発明によるシアンインク組成物は、界面活性剤を含むことができる。好ましい界面活性剤の例としては、アニオン性界面活性剤（例えばドデシルベンゼルスルホン酸ナトリウム、ラウリル酸ナトリウム、ポリオキシエチレンアルキルエーテルサルフェートのアンモニウム塩など）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなど）があげられ、これらを単独または二種以上を混合して用いることができる。また、アセチレングリコール（オレフィンＹ、ならびにサーフィノール８２、１０４、４４０、４６５、および４８５（いずれもAir Products and Chemicals Inc. 製））を用いることも可能である。
【００２０】
本発明の好ましい態様によれば、本発明によるイエローインク組成物は樹脂エマルジョンを含んでなるのが好ましい。ここで、樹脂エマルジョンとは、連続相が水であり、分散相が次のような樹脂成分であるエマルジョンを意味する。分散相の樹脂成分としては、アクリル系樹脂、酢酸ビニル系樹脂、スチレン−ブタジエン系樹脂、塩化ビニル系樹脂、アクリル−スチレン系樹脂、ブタジエン系樹脂、スチレン系樹脂、架橋アクリル樹脂、架橋スチレン樹脂、ベンゾグアナミン樹脂、フェノール樹脂、シリコーン樹脂、エポキシ樹脂、などがあげられる。
【００２１】
本発明の好ましい態様によれば、この樹脂は親水性部分と疎水性部分とを併せ持つ重合体であるのが好ましい。また、これらの樹脂成分の粒子径はエマルジョンを形成する限り特に限定されないが、１５０ｎｍ程度以下が好ましく、より好ましくは５〜１００ｎｍ程度である。
【００２２】
これらの樹脂エマルジョンは、樹脂モノマーを、場合によって界面活性剤とともに水中で分散重合することによって得ることができる。例えば、アクリル系樹脂またはスチレン−アクリル系樹脂のエマルジョンは、（メタ）アクリル酸エステル、または（メタ）アクリル酸エステルおよびスチレンを、界面活性剤とともに水中で分散重合させることによって得ることができる。樹脂成分と界面活性剤との混合の割合は、通常１０：１〜５：１程度とするのが好ましい。界面活性剤の使用量が前記範囲にあることでより良好なインク組成物の耐水性、浸透性が得られる。界面活性剤は特に限定されないが、好ましい例としては上記した界面活性剤が挙げられる。
【００２３】
また、分散相成分としての樹脂と水との割合は、樹脂１００重量部に対して水６０〜４００重量部、好ましくは１００〜２００の範囲が適当である。
【００２４】
このような樹脂エマルジョンとして、公知の樹脂エマルジョンを用いることも可能であり、例えば特公昭６２−１４２６号、特開平３−５６５７３号、特開平３−７９６７８号、特開平３−１６００６８号、特開平４−１８４６２号などに記載の樹脂エマルジョンをそのまま用いることができる。
【００２５】
また、市販の樹脂エマルジョンを使用することも可能であり、例えばマイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）ボンコート５４５４（スチレン−アクリル系樹脂エマルジョン、大日本インキ化学工業株式会社製）、ＳＡＥ−１０１４（スチレン−アクリル系樹脂エマルジョン、日本ゼオン株式会社製）、サイビノールＳＫ−２００（アクリル系樹脂エマルジョン、サイデン化学株式会社製）、などがあげられる。
【００２６】
本発明によるシアンインク組成物は、樹脂エマルジョンを、その樹脂成分がインク組成物の０．１〜４０重量％となるよう含有するのが好ましく、より好ましくは１〜２５重量％の範囲である。樹脂エマルジョンは着色成分の浸透を抑制し、記録媒体への定着を促進する効果を有する。また、樹脂エマルジョンの種類によっては記録媒体上でインク像表面に皮膜を形成し、印字物の耐擦性を向上させることができる。
【００２７】
本発明の好ましい態様によれば、インク組成物は樹脂エマルジョン形態の熱可塑性樹脂を含んでなるのが好ましい。ここで、熱可塑性樹脂とは、軟化温度が５０℃〜２５０℃、好ましくは６０℃〜２００℃、のものである。ここで、軟化温度という語は、熱可塑性樹脂のガラス転移点、融点、粘性率が１０11〜１０12ポアズになる温度、流動点、樹脂エマルジョンの形態にある場合その最低造膜温度（ＭＦＴ）のうち最も低い温度を意味するものとする。本発明による方法の加熱工程では、記録媒体を熱可塑性樹脂の軟化温度以上の温度で加熱する。
【００２８】
また、これらの樹脂は、軟化または溶融温度以上に加熱され冷却された際に強固な耐水性、耐擦性のある膜を形成するものが好ましい。
【００２９】
水不溶性の熱可塑性樹脂の具体例としては、ポリアクリル酸、ポリメタアクリル酸、ポリメタアクリル酸エステル、ポリエチルアクリル酸、スチレン‐ブタジエン共重合体、ポリブタジエン、アクリロニトリル‐ブタジエン共重合体、クロロプレン共重合体、フッ素樹脂、フッ化ビニリデン、ポリオレフィン樹脂、セルロース、スチレン‐アクリル酸共重合体、スチレン‐メタアクリル酸共重合体、ポリスチレン、スチレン‐アクリルアミド共重合体、ポリイソブチルアクリレート、ポリアクリロニトリル、ポリ酢酸ビニル、ポリビニルアセタール、ポリアミド、ロジン系樹脂、ポリエチレン、ポリカーボネート、塩化ビニリデン樹脂、セルロース系樹脂、酢酸ビニル樹脂、エチレン‐酢酸ビニル共重合体、酢酸ビニル‐アクリル共重合体、塩化ビニル樹脂、ポリウレタン、ロジンエステル等が挙げられるがこれらに限定されるものではない。
【００３０】
低分子量の熱可塑性樹脂の具体例としては、ポリエチレンワックス、モンタンワックス、アルコールワックス、合成酸化ワックス、αオレフィン‐無水マレイン酸共重合体、カルナバワックス等の動植物系ワックス、ラノリン、パラフィンワックス、マイクロクリスタリンワックス等が挙げられる。
【００３１】
本発明の好ましい態様によれば、本発明によるシアンインク組成物は糖を含有してもよい。糖類の例としては、単糖類、二糖類、オリゴ糖類（三糖類および四糖類を含む）および多糖類があげられ、好ましくはグルコース、マンノース、フルクトース、リボース、キシロース、アラビノース、ガラクトース、アルドン酸、グルシシール、ソルビット、マルトース、セロビオース、ラクトース、スクロース、トレハロース、マルトトリオース、などがあげられる。ここで、多糖類とは広義の糖を意味し、アルギン酸、α−シクロデキストリン、セルロースなど自然界に広く存在する物質を含む意味に用いることとする。
【００３２】
また、これらの糖類の誘導体としては、前記した糖類の還元糖（例えば、糖アルコール（一般式ＨＯＣＨ2 （ＣＨＯＨ）n   ＣＨ2 ＯＨ（ここで、ｎ＝２〜５の整数を表す）で表される）、酸化糖（例えば、アルドン酸、ウロン酸など）、アミノ酸、チオ糖などがあげられる。特に糖アルコールが好ましく、具体例としてはマルチトール、ソルビットなどがあげられる。
【００３３】
これら糖類の含有量は、インク組成物の０．１〜４０重量％、好ましくは０．５〜３０重量％の範囲が適当である。
【００３４】
その他、必要に応じて、ｐＨ調整剤、防腐剤、防かび剤等を添加しても良い。
【００３５】
マゼンタインク組成物
本発明によるインクセットに用いられるマゼンタインク組成物は、着色剤として、Ｃ．Ｉ．ピグメントレッド１２２、Ｃ．Ｉ．ピグメントレッド２０２、Ｃ．Ｉ．ピグメントレッド２０９、およびＣ．Ｉ．ピグメントヴァイオレット１９からなる群より選択される少なくとも一種の顔料を含んでなる。これら特定のマゼンタ顔料を含むマゼンタインク組成物を、上記イエローインク組成物および後記のシアンインク組成物と組み合わせて用いることにより、耐光性および耐水性に加え、良好な画像、とりわけ良好な色相の画像を実現できる。
【００３６】
本発明によるインクセットを構成する上記マゼンタインク組成物は、上記顔料とともに、少なくとも水を含んでなる。顔料のインク組成物への添加量は耐光性および耐水性に加え、良好な色相を有する画像を実現できる範囲で適宜決定されてよいが、例えば６重量％以下が好ましい。
【００３７】
また、上記マゼンタインク組成物は、上記イエローインク組成物と同様に、上記顔料を分散剤または界面活性剤で水性媒体中に分散させて得られた顔料分散液としてインク組成物に添加されるのが好ましい。好ましい分散剤としては、顔料分散液を調製するのに慣用されている分散剤、例えば高分子分散剤を使用することができる。
【００３８】
また、本発明によるマゼンタインク組成物は、イエローインク組成物と同様に、有機溶媒、界面活性剤、樹脂エマルジョン、糖、ｐＨ調整剤、防腐剤、防かび剤等を含んでなるのが好ましい。これらの具体例およびその添加量は、イエローインク組成物の場合と同様であってよい。
【００３９】
シアンインク組成物
本発明によるインクセットに用いられるシアンインク組成物は、着色剤として、Ｃ．Ｉ．ピグメントブルー１５：３、およびＣ．Ｉ．ピグメントブルー１５：４からなる群より選択される少なくとも一種の顔料を含んでなる。これら特定のシアン顔料を含むシアンインク組成物を、上記イエローインク組成物および上記マゼンタインク組成物と組み合わせて用いることにより、耐光性および耐水性に加え、良好な画像、とりわけ良好な色相の画像を実現できる。
【００４０】
本発明によるインクセットを構成する上記シアンインク組成物は、上記顔料とともに、少なくとも水を含んでなる。顔料のインク組成物への添加量は耐光性および耐水性に加え、良好な色相を有する画像を実現できる範囲で適宜決定されてよいが、例えば６重量％以下が好ましい。
【００４１】
また、上記シアンインク組成物は、上記イエローインク組成物と同様に、上記顔料を分散剤または界面活性剤で水性媒体中に分散させて得られた顔料分散液としてインク組成物に添加されるのが好ましい。好ましい分散剤としては、顔料分散液を調製するのに慣用されている分散剤、例えば高分子分散剤を使用することができる。
【００４２】
また、本発明によるシアンインク組成物は、イエローインク組成物と同様に、有機溶媒、界面活性剤、樹脂エマルジョン、糖、ｐＨ調整剤、防腐剤、防かび剤等を含んでなるのが好ましい。これらの具体例およびその添加量は、イエローインク組成物の場合と同様であってよい。
【００４３】
インクセット
本発明によるインクセットは、上記各インク組成物から構成される。本発明においては、シアンインク組成物およびマゼンタインク組成物中の前記シアン顔料および前記マゼンタ顔料のそれぞれの濃度が、イエローインク組成物中の前記イエロー顔料の濃度よりも小さいことが好ましい。シアン顔料およびマゼンタ顔料の濃度を、イエロー顔料の濃度よりも小さくすることにより、画像の色再現性がより改善される。
【００４４】
また、本発明においては、マゼンタインク組成物中の前記マゼンタ顔料の濃度が、シアンインク組成物中の前記シアン顔料の濃度よりも大きく、かつイエローインク組成物中の前記イエロー顔料の濃度が、マゼンタインク組成物中の前記マゼンタ顔料の濃度よりも大きいことが好ましい。イエロー、マゼンタ、シアンの順に顔料の濃度を高くすることにより、より一層良好な色再現性を実現できる。
【００４５】
本発明の好ましい態様によれば、本発明によるインクセットは、全てのインク組成物中の顔料濃度が６重量％以下であり、かつシアンインク組成物中の顔料の濃度（重量％）と、マゼンタインク組成物中の顔料の濃度（重量％）と、そしてイエローインク組成物中の顔料の濃度（重量％）との比が、２．０〜５．０：２．５〜５．５：３．５〜６．０であることが好ましい。より好ましくは２．５〜５．０：３．５〜５．５：４．０〜６．０である。この態様によれば、より改善された色相を有する画像を実現することができる。
【００４６】
本発明によるインクセットは、上記した各インク組成物に加えて、他のインク組成物を含むカラー記録用インクセットとしてもよい。他のインク組成物としては、本発明によるインクセットとしての効果を損なわない限り、それらの種類等に特に制限されず、通常のインクジェット記録用に用いられるものが使用できる。
【００４７】
また、他のカラーインク組成物としては、ライトシアン、ライトマゼンタ、ダークイエロー、レッド、グリーン、ブルー、オレンジ、バイオレット等をインクセットに含めることもできる。なお、「ライトマゼンタ」及び「ライトシアン」の各インク組成物とは、一般的には、濃度変調による印刷画像の画質向上を目的に、それぞれマゼンタインク組成物、及びシアンインク組成物の色材濃度を低くしたインク組成物である。また、「ダークイエロー」のインク組成物とは、シャドー部等の暗色に対する色再現性を向上させる目的で、イエローインク組成物よりも明度・彩度の低い色材（顔料）を用いたイエローインク組成物である。そして、「レッド」、「オレンジ」、「グリーン」、「ブルー」、及び「バイオレット」の各インク組成物は、色再現範囲を向上させるために、イエロー、マゼンタ、シアンの中間色を構成する要素として使用されるインク組成物である。
【００４８】
本発明によるインクセットは、従来公知のインクセットと同様に構成することができ、従来公知の各種の記録方法用インクとして利用することができる。特に、本発明においては、比較的安価な装置で高解像度、高品位な画像を高速で印刷可能である点で、インクジェット記録用、即ちインクの小滴を飛翔させ、紙等の記録媒体に付着させて印刷を行う用途に好適である。
【００４９】
インクジェット記録方法
本発明によるインクセットを用いるインクジェット記録方法は、インク組成物の液滴を吐出し、該液滴を加熱された記録媒体に付着させて印字を行うものである。各インク組成物の液滴を吐出する方法の例としては、例えば電歪素子を用いて電気信号を機械信号に変換して、ノズルヘッド部分に貯えたインクを断続的に吐出して記録媒体表面に文字や記号を記録する方法、ノズルヘッド部分に貯えたインクを吐出部分に極めて近い箇所で急速に加熱し泡を発生させ、その泡による体積膨張で断続的に吐出することで記録媒体表面に文字や記号を記録する方法が挙げられる。本発明の好ましい態様によれば、本発明によるインクセットは、電歪素子を用いたインクジェット記録方法に好ましく用いられる。各インク組成物の液滴を吐出は、圧電素子の力学的作用を利用してインク滴を吐出させる記録ヘッドにより行われることが好ましい。
【００５０】
また、本発明によれば、上記記録方法により記録された記録物も提供される。
【実施例】
【００５１】
本発明を以下の実施例により更に詳細に説明するが、本発明はこれらの例に限定されるものではない。
【００５２】
インク組成物の調整
下記表１の組成に従い各成分を混合し、１０μｍのメンブランフィルターでろ過することにより、各インクを調製した。なお、表中の数値はインク中の含有量（重量基準％）を表す。
【表１】
0005386796.tif 000002
【００５３】
評価１：発色性
得られた製造例Ｙ１〜Ｙ４の各イエローインク組成物について、以下のようにして発色性の評価を行った。インクジェットプリンターＰＸ−Ａ６５０（セイコーエプソン株式会社製）を用いて、写真用紙（「光沢」、セイコーエプソン株式会社製）に、５ｃｍ×５ｃｍの大きさに１００％ｄｕｔｙでベタ印刷を行った。得られた印刷物の発色を、Ｓｐｅｃｔｒｏｌｉｎｏ（ＧｒｅｔａｇＭａｃｂｅｔｈ社製）を用いて測定した。側色は、ＣＩＥにて規定されている色差表示方のＬ＊ａ＊ｂ＊測定により行った。次いで、彩度Ｃ＊を、下記の計算式：
Ｃ＊＝（（ａ＊）２＋（ｂ＊）２）１／２
により算出し、発色性を以下の基準で評価した。
ＡＡ：Ｃ＊の値が１０５以上
Ａ：Ｃ＊の値が１００以上、１０５未満
Ｂ：Ｃ＊の値が９５以上、１００未満
Ｃ：Ｃ＊の値が９５未満
【００５４】
評価２：耐光性
得られた製造例Ｙ１〜Ｙ４の各イエローインク組成物について、ＯＤ値が１．０になるようにＤｕｔｙを調整した以外は上記と同様にして印刷を行った。得られた印刷物を、耐光性試験機（蛍光灯耐光性試験機、スガ試験機株式会社製）のチャンバー内に投入し２４℃、湿度６０％の環境下に３０日間放置した後、印刷物の側色を行い、印刷直後の印刷物のＯＤ値の残存率を算出した。なお、用いた蛍光灯耐光性試験機は、蛍光灯６０本から構成され、印刷面の照度を７万ルクスに制御して暴露試験を行うことができるものある。
耐光性を、以下の基準で評価した。
ＡＡ：９５％以上
Ａ：８５％以上
Ｂ：７０％以上
Ｃ：７０％未満
以上の評価結果は、次の表２に記載の通りであった。
【表２】
0005386796.tif 000003
【００５５】
評価３：色再現性
得られた各インク組成物を下記表３に示すような組合せとしてインクセットＡ〜Ｊを構成した。各インクセットについて、上記と同様のインクジェットプリンターを用いて、４００パッチからなる専用の出力パターンを印刷した。印刷物全てのパッチの側色を行い、演算ツールにより、Ｌ＊ａ＊ｂ＊の３Ｄ空間の中での体積を算出した。算出されたＧｕｍａｔＶｏｌｕｍｅは無次元である。色再現性の評価は、算出したＧｕｍａｔＶｏｌｕｍｅの値により、以下の判定基準により行った。
Ａ：６７万以上
Ｂ：６４万以上、６７万未満
Ｃ：６２万以上、６４万未満
Ｄ：６２万以下
評価結果は、次の表３に記載の通りであった。
【表３】
0005386796.tif 000004